(57)【要約】【課題】移動体のランプハウジングに所望する規格外のランプ部材を簡単に装着することができること。【解決手段】移動体のランプハウジングに対する規格外のランプ部材の取付け方法であって、前記ランプハウジングに形成された係止孔に、バルブソケットの前面から突出するランプの少なくとも根元部分に材質自体の弾性変形機能及び弾性復帰機能を有すると共に、前記係止孔の内径よりも外形寸法が大きい筒状の嵌合部材を脱着自在に外嵌合し、前記嵌合部材を摘んだ状態で規格外のランプ部材をランプハウジングに嵌着したことを特徴とする規格外のランプ部材の取付け方法。【選択図】  図２
2005019183.tif 000002
【特許請求の範囲】
【請求項１】
移動体のランプハウジングに対する規格外のランプ部材の取付け方法であって、前記ランプハウジングに形成された係止孔に、バルブソケットの前面から突出するランプの少なくとも根元部分に材質自体の弾性変形機能及び弾性復帰機能を有すると共に、前記係止孔の内径よりも外形寸法が大きい筒状の嵌合部材を脱着自在に外嵌合し、前記嵌合部材を摘んだ状態で規格外のランプ部材をランプハウジングに嵌着したことを特徴とする規格外のランプ部材の取付け方法。
【請求項２】
請求項１に於いて、筒状の嵌合部材は、多孔質の合成樹脂体であって、外壁がすい台状に形成されていることを特徴とする規格外のランプ部材の取付け方法。
【請求項３】
請求項１又は請求項２に於いて、予めランプハウジング１の係止孔２に嵌合部材１０を係止させ、ランプ部材のランプを嵌合部材１０の貫通孔に貫通状態に差し込んだことを特徴とする規格外のランプ部材の取付け方法。
【請求項４】
請求項１に於いて、ランプハウジング１に円筒状の取付け部４を固定的に嵌着した後に、該円筒状の取付け部４内に嵌合部材１０を外嵌合したランプ部材を装着することを特徴とする規格外のランプ部材の取付け方法。
【発明の詳細な説明】
【０００１】
【発明の属する技術分野】
本発明は、自動車などの移動体のランプハウジングに対する規格外のランプ部材の取付け方法に関する。
【０００２】
【従来の技術】
先行技術開示義務として、（１）実開昭５４−１５２４４５号公報、（２）実開平１−１００３１８号公報、（３）特開平４−１１５４０５号公報を記載する。前記（１）は、照明ランプの取付け構造についての技術であり、該技術は、取付け対象（ここでは「ランプハウジング」という。）に形成された開口部に車両用前照燈、制動燈、ルームランプ等のランプを取付ける場合にバルブソケットを介して行うものである。また前記（２）も、ソケットホルダーに関する技術であり、該技術は、ランプハウジングに形成した所定の係止孔に係合する周溝を周胴部に有する弾性のソケットホルダーを強制的に前記係止孔に嵌合固定するものである。また前記（３）も、ランプハウジングに対するランプの取付け構造に関する技術であり、該技術も前記（１）、（２）と同様にランプハウジングに形成された開口部にランプを、剛性多孔質体のパッキン部材を介して取付けるものである。
【０００３】
そこで、従来の（１）〜（３）の共通するランプハウジングに対するランプの取付け構造を図１で示し、その問題点を簡単に指摘する。１は車輌に設けられたランプハウジングである。このランプハウジングは業界用語（例えばトリムパネル、ストロボバルブを取り付ける灯体など）如何に係らず、ランプの取付け対象を意味する。２はランプハウジング１に形成された開口部である。この開口部２も、ランプの装着口、係合孔などその用語の如何を問わず、普通一般の電球、ＬＥＤ、ストロボフラッシュなどのランプを、反射板、レンズなどを備えたランプハウジング１の内部空間に挿入する間隙部を意味する。３．３Ａはランプハウジング１の取付け部４に固定的に装着されるランプ部材で、該ランプ部材３．３Ａは、任意形状のバルブソケット５．５Ａと、このバルブソケット５．５Ａに取り外し可能に設けられたランプ６．６Ａと、このランプ６．６Ａに電源を供給するためのリード線７．７Ａとから構成されている。
【０００４】
ところで、ランプハウジング１に取り付ける方のランプ部材３．３Ａは、図１で示すように何種類も存在する。例えば電球の形状一つとってみても、自動車部品販売店でよく見かけるように円球形状、楕円形状、円柱形状など様々である。また、ランプの種類も、電球、ＬＥＤ、ストロボフラッシュなど機能の異なるものも存在する。さらに、ランプ６．６Ａを保持するバルブソケット５．５Ａもランプの形態に対応してフランジ状、トラック状、矩形キャップ状など多様化している。
【０００５】
このようにランプ部材３．３Ａが、機能及び用途に対応して様々なタイプ（規格）のものが存在している状況下において、ランプハウジング１に異なる規格（規格外）のランプ部材３Ａを取り付けようとする場合には、装着部としての開口部２がその規格のものに一致していない限り、そのままランプ部材５Ａを取り付けることができない。例えば図１の上方の説明図は、ランプハウジング１の取付け部４が円筒状に形成され、一方、ランプ部材３のランプ６が普通一般の形状をしており、バルブソケット５が前記円筒状取付け部４の端面等に適合するフランジ部３ａを有する製品の場合には、該ランプ部材３をランプハウジング１の円筒状取付け部４にぴったりと固定することができる。
【０００６】
しかし、図１の下方の説明図に示すように、ランプ３Ａやバルブソケット５Ａの形状や大きさが異なるランプ部材３Ａをランプハウジング１に取り付けようとすると、当然のことながら、そのまま取り付けることができない。もし、無理にランプハウジング１に規格外のランプ部材３Ａを装着しようとすれば、開口部を大きくするなど加工する必要が生じ、また加工後にランプ部材３を取付ける場合には、針金などを適宜用意し、さらに、塵、水分等がランプハウジング１に入り込まないようにランプ部材３Ａを適宜に取り付けざるを得ない。
【０００７】
したがって、これでは加工、取付け等に手間がかかりすぎるという問題点があった。また、一旦、ランプハウジング１に規格外のランプ部材３Ａを装着してしまうと、今度は、ランプハウジング１に規格のランプ部材３を取り付けることが容易ではないという問題点もあった。
【０００８】
【発明が解決しようとする課題】
本発明の主たる目的は、移動体のランプハウジングに所望する規格外のランプ部材を簡単に装着することができること。第２の目的は、ランプハウジングの取付け部の構造をシンプルにすることができること。第３の目的は、安価であること。第４の目的は、規格から規格外のランプ部材に交換しても、塵がランプハウジング内に入り込んだり、或いはランプハウジングのレンズが曇ったりしないこと。第５の目的は、車輌展示場、オートサービスショウなど商品を広告宣伝する場に於いて、所定のランプハウジングに規格のランプ部材と規格外のランプ部材とを相互に短時間で交換することができることである。
【０００９】
【課題を解決するための手段】
本発明は、移動体のランプハウジングに対する規格外のランプ部材の取付け方法であって、前記ランプハウジングに形成された係止孔に、バルブソケットの前面から突出するランプの少なくとも根元部分に材質自体の弾性変形機能及び弾性復帰機能を有すると共に、前記係止孔の内径よりも外形寸法が大きい筒状の嵌合部材を脱着自在に外嵌合し、前記嵌合部材を摘んだ状態で規格外のランプ部材を嵌着したことを特徴とする。
【００１０】
上記の構成に於いて、予めランプハウジングの係止孔に嵌合部材を係止させ、ランプ部材のランプを嵌合部材の貫通孔に貫通状態に差し込んだことを特徴とする。
【００１１】
【発明の実施の形態】
図１〜図６を参照に第１実施例を説明する。なお、本発明の実施例の説明にあたり、従来の実施例と同一の部分には同様の符号を付す。
【００１２】
まず、１は移動体のランプハウジングである。移動体は、飛行機、船舶、自動車、自動二輪、自転車などを列挙することができる。ランプハウジング１は、従来の実施例で説明したように、ランプ部材３Ａの取付け対象である。ランプハウジング１は、凹所或いは湾状に形成され、その内壁面１ａは反射面となっている。２は中央部に形成された開口部（円形孔、角孔など）である。この開口部２は、ランプを係止する係止機能を有する。
【００１３】
したがって、当該ランプハウジング１に装着される規格のランプ部材３（従来の実施例で説明したランプ部材３）のみならず、規格外のランプ部材３Ａも取り付けることができる大きさに形成されている。
【００１４】
ところで、第１実施例のランプハウジング１は、従来の実施例で説明した円筒状の取付け部４を有していない。したがって、本発明のランプハウジング１は、非常にシンプルであり、ランプ部材３．３Ａを装着したい任意の箇所に、少なくとも所要の大きさの係止孔２が形成されていれば良い。
【００１５】
次に、３Ａは嵌合部材１０を介してランプハウジング１に装着されるランプ部材である。ランプ部材３Ａは、従来の実施例で説明したように、弁当箱形状のバルブソケット５Ａと、このバルブソケット５Ａに取り外し可能に設けられた長管状のランプ６Ａと、このランプ６Ａに電源を供給するためのリード線７Ａとから構成されている。８はランプハウジング１の周端部に取り付けられたレンズである。
【００１６】
前記嵌合部材１０は、多孔質の弾性合成樹脂体である。また嵌合部材１０は、筒状（例えば中空円柱、中空円錐、中空角錐、中空すい台など）に形成され、ランプハウジング１のバルブソケット５Ａの前面から突出するランプ６Ａの少なくとも根元部分に脱着自在に外嵌合する。第１実施例の嵌合部材１０は中空円柱である。嵌合部材１０は、材質自体の弾性変形機能及び弾性復帰機能を有する。
【００１７】
しかして、前記弾性変形機能とは、ランプ部材３Ａのランプ６Ａに嵌合部材１０を外嵌合した状態於いて、ランプ６Ａをランプハウジング１の差し込んだ際に、係止孔２の内周縁とランプ６Ａの外周壁との間のサンドイッチ状の部分１０ａが弾性力に抗して圧縮する働き、又は嵌合部材１０をランプハウジング１の係止孔２に適宜に係止させた状態に於いて、ランプ６Ａを嵌合部材１０の貫通孔１１に挿入した際にランプ６Ａの外周壁と係止孔２の内周縁との間のサンドイッチ状の部分１０ａが弾性力に抗して圧縮する働きをいう。
【００１８】
また前記弾性復帰機能とは、ランプ部材３Ａのランプ６Ａに嵌合部材１０を外嵌合した状態於いて、ランプ６Ａをランプハウジング１の差し込んだ際に、前記弾性変形機能を発揮しながら係止孔２を通過してランプハウジング１の内壁面１ａ側に突出した先端部分１０ｂが材質自体の弾性力により復帰して膨らみランプハウジング１の内壁面１ａに係合状態になる働き、又は嵌合部材１０をランプハウジング１の係止孔２に適宜に係止させた状態に於いて、前記弾性変形機能を発揮しながら係止孔２を通過してランプハウジング１の内壁面１ａ側に突出した先端部分１０ｂが材質自体の弾性力により復帰して膨らみランプハウジング１の内壁面１ａに係合状態になる働きをいう。
【００１９】
そこで、図３〜図６を参照にして本発明のランプ部材の取付け方法を説明すると、図３は、嵌合部材１０を指で摘んでバルブソケット５Ａの前面から突出するランプ６Ａの少なくとも根元部分に該嵌合部材１０を外嵌合する嵌合工程を示す。この場合ランプ６Ａの先端部は嵌合部材１０の先端面から突出する。
【００２０】
図４はランプ部材３Ａのランプ６Ａに嵌合部材１０を外嵌合した状態於いて、ランプハウジング１の外壁面１ｂ側から係止孔２に嵌合部材１０を介してランプ６Ａを差し込む場合を示している。
【００２１】
前述したように、嵌合部材１０は弾性変形機能及び弾性復帰機能を有することから、図４で示すように、嵌合部材１０の外形寸法ａは、係止孔の内径ｂよりもが大きい。図５は嵌合部材１０を指で摘んだ状態で規格外のランプ部材３Ａをランプハウジング１に嵌着する嵌着工程を示している。
【００２２】
この嵌着工程に於いて、嵌合部材１０の弾性変形機能及び弾性復帰機能については、図２を参照にして説明したとおりである。したがって、本発明では、図６で示すように、中間のランプハウジング１を基準にして該ランプハウジング１よりも小さいランプハウジング１Ａ（ここではランプハウジングの形状の大きさに対応して係合孔２Ａもやや小さめとする。）や大きいランプハウジング１Ｂ（ここではランプハウジングの形状の大きさに対応して係合孔２Ｂもやや大きめとする。）にも、嵌合部材１０の条件（外形寸法ａが係止孔の内径ｂよりもが大きい）が合う限り、嵌合部材１０をバルブソケット５Ａに外嵌合し、又は、図７及び図８で示すように予めランプハウジング１の係止孔２に嵌合部材１０を適宜に係止させた状態に於いて、ランプ部材３Ａをランプハウジング１Ａに装着することができる。この場合は、ランプ部材３Ａのランプ６Ａを嵌合部材１０の貫通孔１１に貫通状態に差し込むと、図２で示すようにランプ部材３Ａは嵌合部材１０を介してランプハウジング１Ａに係止される。
【００２３】
【実施例】
第１実施例のランプハウジング１は、従来の実施例で説明した円筒状の取付け部４を有していないが、ランプハウジング１に支持機能を有する円筒状の取付け部４を固定的に嵌着した後に、該円筒状の取付け部４内に嵌合部材１０を外嵌合したランプ部材３．３Ａを装着しても良い。このような実施例の場合にも、嵌合部材１０Ａの条件（外形寸法ａが取付け部４の内径よりもが大きい）が適合する必要がある。
【００２４】
図９は、他の嵌合部材１０Ａを、ランプハウジング１、小さいランプハウジング１Ａ、大きいランプハウジング１Ｂに嵌着することができる旨の説明図である。このように嵌合部材１０Ａの条件（外形寸法ａが係止孔の内径ｂよりもが大きい）が合う限り。外壁がすい台状に形成されたものであっても良い。なお、嵌合部材１０Ａは条件の合う筒状である限り、中空円柱や中空すい台に限定するものではない。
【００２５】
【発明の効果】
以上の説明から明らかなように、本発明にあっては、次に列挙するような効果がある。
（１）移動体のランプハウジングに所望する規格外のランプ部材を簡単に装着することができる。
（２）ランプハウジングの取付け部の構造をシンプルにすることができる。
（３）安価である。
（４）車輌展示場、オートサービスショウなど商品を広告宣伝する場に於いて、所定のランプハウジングに規格のランプ部材と規格外のランプ部材とを相互に短時間で交換することができる。
（５）規格から規格外のランプ部材に交換しても、塵がランプハウジング内に入り込んだり、或いはランプハウジングのレンズが曇ったりしない。
【図面の簡単な説明】
図１乃至図６は本発明の第１実施例を示す各説明図。図７及び図８は、予めランプハウジングに嵌合部材を係止させた状態に於いて、ランプ部材を装着する他の取付け方法を示す各説明図。図９は他の嵌合部材の説明図。
【図１】従来の形状や大きさが異なるランプ部材と、ランプハウジングとの取付け関係を示す説明図。
【図２】本発明の取付け状態を示す説明図。
【図３】嵌合部材を指で摘んでランプに該嵌合部材を外嵌合する嵌合工程を示す説明図。
【図４】外壁面側の係合孔から嵌合部材を介してランプを差し込む場合の説明図。
【図５】嵌合部材を指で摘んだ状態で規格外のランプ部材をランプハウジングに嵌着する嵌着工程を示す説明図。
【図６】各種のランプハウジングに対する嵌合部材の対応関係を示す説明図。
【図７】ランプハウジングの係止孔に嵌合部材を係止させた説明図。
【図８】ランプハウジングの係止孔に嵌合部材を係止させた状態でランプ部材をランプハウジングに装着する説明図。
【図９】他の嵌合部材１を、各種大きさの違うランプハウジングに嵌着することができる旨の説明図である。
【符号の説明】
１，１Ａ，１Ｂ…ランプハウジング、２，２Ａ，  ２Ｂ…開口部、３，３Ａ…ランプ部材、４…取付け部、５，５Ａ…バルブソケット、６，６Ａ…ランプ、７，７Ａ…リード線、８…レンズ、１０，１０Ａ…嵌合部材、１１…貫通孔。
【図１】
2005019183.tif 000003
【図２】
2005019183.tif 000004
【図３】
2005019183.tif 000005
【図４】
2005019183.tif 000006
【図５】
2005019183.tif 000007
【図６】
2005019183.tif 000008
【図７】
2005019183.tif 000009
【図８】
2005019183.tif 000010
【図９】
2005019183.tif 000011